(57)【要約】      （修正有）【課題】構成を簡単化および軽量化しつつ円滑に天井パネルを昇降させることができるユニットトイレを提供する。【解決手段】ユニットトイレ１００は、便器１０６ｂの周囲に起立する側壁パネル１１１、１１２，１１４上に天井パネル１２０Ｘがリンク機構１３０によって全体が昇降自在に支持され、Ｘリンク機構１３０は、第１支持アーム１３１および第２支持アーム１３２における各一方の端部が回動端として側壁パネル１１４および天井パネル１２０にそれぞれ回動自在に取り付けられるとともに、他方の端部がスライド端として側壁パネル１１４および天井パネル１２０にそれぞれスライド変位可能に取り付けられ、そして、ユニットトイレ１００は、天井パネル１２０を手動で昇降するための昇降ハンドル１２６が天井パネル１２０におけるＸリンク機構１３０の支点である連結ピン１３３よりも各回動端側に設けられている。【選択図】図５
2017002531.tif 000002
【特許請求の範囲】
【請求項１】
便器と、
前記便器の周囲に起立して設けられてトイレ室を形成する側壁パネルと、
前記便器の上方に設けられて前記トイレ室の天井を構成する天井パネルと、
互いに交差する第１支持アームおよび第２支持アームが前記交差部分を支点として互いに回動自在に連結されて前記側壁パネルに対して前記天井パネルを昇降自在に支持するＸリンク機構と、
前記天井パネルを昇降させるための天井パネル昇降手段とを備えたユニットトイレであって、
前記Ｘリンク機構は、
前記第１支持アームにおける一方の端部が回動端として前記側壁パネルに対して回動自在に取り付けられるとともに、他方の端部がスライド端として前記天井パネルに対してスライド変位可能に取り付けられており、
前記第２支持アームにおける一方の端部が回動端として前記第１支持アームにおける前記回動端上の前記天井パネルに対して回動自在に取り付けられるとともに、他方の端部が前記第１支持アームにおける前記スライド端下の前記側壁パネルに対してスライド変位可能に取り付けられており、
前記天井パネル昇降手段は、
前記天井パネルにおける前記Ｘリンク機構の前記支点よりも前記第１支持アームおよび前記第２支持アームの前記各回動端側に設けられていることを特徴とするユニットトイレ。
【請求項２】
請求項１に記載したユニットトイレにおいて、
前記天井パネル昇降手段は、
前記天井パネルを手動で昇降させるための昇降ハンドルであることを特徴とするユニットトイレ。
【請求項３】
請求項２に記載したユニットトイレにおいて、
前記天井パネルは、
前記側壁パネルの外周に沿って下垂するエプロン部を有し、
前記昇降ハンドルは、
前記エプロン部に設けられていることを特徴とするユニットトイレ。
【請求項４】
請求項１ないし請求項３のうちのいずれか１つに記載したユニットトイレにおいて、
前記天井パネル昇降手段は、
前記側壁パネルに対して前記天井パネルを上昇させる力を前記天井パネルまたは前記Ｘリンク機構に作用させる上昇力発生手段を備えることを特徴とするユニットトイレ。
【請求項５】
請求項１ないし請求項４のうちのいずれか１つに記載したユニットトイレにおいて、
前記Ｘリンク機構は、
前記便器に対して左右方向の両側にそれぞれ設けられていることを特徴とするユニットトイレ。
【請求項６】
請求項５に記載したユニットトイレにおいて、さらに、
前記Ｘリンク機構の前記支点よりも前記天井パネル側に前記左右両側に配置した前記各Ｘリンク機構同士を互いに連結する連結棒を備えることを特徴とするユニットトイレ。
【請求項７】
請求項６に記載したユニットトイレにおいて、
前記連結棒は、
前記Ｘリンク機構の前記支点よりも前記第１支持アームおよび前記第２支持アームにおける前記各スライド端側に設けられていることを特徴とするユニットトイレ。
【請求項８】
請求項１ないし請求項７のうちのいずれか１つに記載したユニットトイレにおいて、
前記Ｘリンク機構は、
前記側壁パネルに設けられた前記トイレ室への出入口側に前記第１支持アームおよび前記第２支持アームの前記各回動端を配置して前記側壁パネルおよび前記天井パネルにそれぞれ取り付けられていることを特徴とするユニットトイレ。
【発明の詳細な説明】
【技術分野】
【０００１】
本発明は、屋外において下水道工事を伴わずに設置、移動または撤去ができるユニットトイレに関する。
【背景技術】
【０００２】
従来から、屋外において下水道工事を伴わずに設置、移動または撤去ができるユニットトイレにおいては、便器が設置されたトイレ室内の天井全体が昇降する天井昇降型のユニットトイレがある。例えば、下記特許文献１には、２つのロッドを中央部で互いに回動自在に連結したＸリンク機構を備えるとともに、このＸリンク機構における前記２つのロッドのそれぞれ４つの各先端部を外周パネルおよび天井パネルにそれぞれスライド可能に取り付けて天井パネル全体が昇降するユニットトイレが開示されている。
【先行技術文献】
【特許文献】
【０００３】
【特許文献１】特開平１０−３１７６９４号公報
【０００４】
しかしながら、上記特許文献１に記載された天井昇降型のユニットトイレにおいては、天井パネルに対してＸリンク機構の上側の２つの先端部をそれぞれスライド可能に取り付けているため、天井パネルが傾斜した状態で持ち上げられると円滑なスライド変位が阻害されて天井パネルを上昇させることができない。このため、従来の天井昇降型のユニットトイレにおいては、Ｘリンク機構における天井パネル側の取付部分の近傍に天井パネルを水平状態を保って上昇させるために垂直方向に上下動する柱状部材（上記特許文献１における「アーム」）を設ける必要があり、ユニットトイレの構成が複雑化および重量化するという問題があった。
【０００５】
本発明は上記問題に対処するためなされたもので、その目的は、構成を簡単化および軽量化しつつ円滑に天井パネルを昇降させることができるユニットトイレを提供することにある。
【発明の概要】
【０００６】
上記目的を達成するため、本発明の特徴は、便器と、便器の周囲に起立して設けられてトイレ室を形成する側壁パネルと、便器の上方に設けられてトイレ室の天井を構成する天井パネルと、互いに交差する第１支持アームおよび第２支持アームが前記交差部分を支点として互いに回動自在に連結されて側壁パネルに対して天井パネルを昇降自在に支持するＸリンク機構と、天井パネルを昇降させる天井パネル昇降手段とを備えたユニットトイレであって、Ｘリンク機構は、第１支持アームにおける一方の端部が回動端として側壁パネルに対して回動自在に取り付けられるとともに、他方の端部がスライド端として天井パネルに対してスライド変位可能に取り付けられており、第２支持アームにおける一方の端部が回動端として第１支持アームにおける回動端上の天井パネルに対して回動自在に取り付けられるとともに、他方の端部が第１支持アームにおけるスライド端下の側壁パネルに対してスライド変位可能に取り付けられており、天井パネル昇降手段は、天井パネルにおけるＸリンク機構の前記支点よりも第１支持アームおよび第２支持アームの各回動端側に設けられていることにある。
【０００７】
このように構成した本発明の特徴によれば、ユニットトイレは、Ｘリンク機構を構成する第１支持アームおよび第２支持アームにおける各一方の端部が回動端として側壁パネルおよび天井パネルにそれぞれ回動自在に取り付けられるとともに、他方の端部がスライド端として側壁パネルおよび天井パネルにそれぞれスライド変位可能に取り付けられる。そして、ユニットトイレは、天井パネル昇降手段が天井パネルにおけるＸリンク機構の支点よりも各回動端側に設けられている。これにより、ユニットトイレは、ユーザが天井パネルを昇降させる側がＸリンク機構における回動端であるため、天井パネルが多少傾斜した非水平状態となっても回動端を回動させて天井パネルを円滑に昇降させることができ、天井パネル全体を水平状態を維持して昇降させるための柱状部材は不要である。すなわち、本発明に係るユニットトイレは、構成を簡単化および軽量化しつつ円滑に天井パネルを昇降させることができる
【０００８】
なお、本発明におけるユニットトイレにおいて、天井パネル昇降手段を天井パネルにおけるＸリンク機構の支点よりも各スライド端側に設けた場合においては、ユーザが天井パネルを昇降させると天井パネルがＸリンク機構の各回動端側を基点として撓み変形するため、Ｘリンク機構におけるスライド端が円滑にスライド変位せず天井パネルの円滑な昇降が困難であった。一方、本発明におけるユニットトイレにおいてもユーザが天井パネルを昇降させると天井パネルがＸリンク機構の各スライド端側を基点として撓み変形すると考えらえるが、各スライド端側における撓み変形量が少ないために天井パネルを円滑に昇降させることができるものと考えられる。
【０００９】
また、本発明の他の特徴は、前記ユニットトイレにおいて、天井パネル昇降手段は、天井パネルを手動で昇降させるための昇降ハンドルであることにある。
【００１０】
このように構成した本発明の特徴によれば、ユニットトイレは、天井パネル昇降手段が手動で天井パネルを昇降させる昇降ハンドルで構成されているため、人力以外の電力源を必要とせず天井パネルを昇降させることができる。なお、昇降ハンドルとしては、人手で把持可能な棒状に形成できるほか、ラックおよびピニオン機構を駆動する円形のハンドルで構成することもできる。
【００１１】
また、本発明の他の特徴は、前記ユニットトイレにおいて、天井パネルは、側壁パネルの外周に沿って下垂するエプロン部を有し、昇降ハンドルは、エプロン部に設けられていることにある。
【００１２】
このように構成した本発明の特徴によれば、ユニットトイレは、昇降ハンドルが天井パネルから側壁パネルの外周に沿って下垂して設けられるエプロン部に設けられているため、ユーザの手に届き易い高さに昇降ハンドルを位置させることができるとともに、天井パネルの下降時におけるトイレ室内への雨水の進入を防止できる。また、この場合、ユニットトイレは、天井パネルを上昇させた場合において側壁パネルの上端部に重なる下垂量でエプロン部を形成することにより、天井パネルの上昇状態において更にユーザの手に届き易い高さに昇降ハンドルを位置させることができるとともに、天井パネルの上昇時におけるトイレ室内への雨水の進入を防止できる。
【００１３】
また、本発明の他の特徴は、前記ユニットトイレにおいて、天井パネル昇降手段は、側壁パネルに対して天井パネルを上昇させる力を天井パネルまたはＸリンク機構に作用させる上昇力発生手段を備えることにある。
【００１４】
このように構成した本発明の特徴によれば、ユニットトイレは、天井パネル昇降手段が天井パネルを上昇させる力を天井パネルまたはＸリンク機構に発生させる上昇力発生手段を備えているため、天井パネルの上昇させる際に助力が作用して天井パネルの上昇および上昇状態の維持が容易となる。この場合、弾性伸長体としては、ガススプリングやコイルスプリングなどの弾性伸長体のほか、電動モータやコンプレッサが考えられる。また、天井パネル昇降手段は、Ｘリンク機構の支点よりも回動端側に設けることによってスライド端を円滑にスライド変位させて天井パネルを昇降させることができる。
【００１５】
また、本発明の他の特徴は、前記ユニットトイレにおいて、Ｘリンク機構は、便器に対して左右方向の両側にそれぞれ設けられていることにある。
【００１６】
このように構成した本発明の特徴によれば、ユニットトイレは、Ｘリンク機構が便器に対して左右方向の両側にそれぞれ設けられているため、便器に対して正面を向けてまたは背面を向けて使用するユーザへの接触を避けて広い空間を確保できるとともに天井パネルを高い剛性で支持することができる。
【００１７】
また、本発明の他の特徴は、前記ユニットトイレにおいて、さらに、Ｘリンク機構の支点よりも天井パネル側に左右両側に配置した各Ｘリンク機構同士を互いに連結する連結棒を備えることにある。
【００１８】
このように構成した本発明の特徴によれば、ユニットトイレは、Ｘリンク機構における支点よりも天井パネル側において左右両側に配置したＸリンク機構同士を互いに連結する連結棒を備えているため、Ｘリンク機構および天井パネルの剛性を高めることができ天井パネルを円滑に昇降させることができる。
【００１９】
また、本発明の他の特徴は、前記ユニットトイレにおいて、連結棒は、Ｘリンク機構の支点よりも第１支持アームおよび第２支持アームにおける各スライド端側に設けられていることにある。
【００２０】
このように構成した本発明の特徴によれば、ユニットトイレは、連結棒がＸリンク機構の支点よりも各スライド端側に設けられているため、トイレ室内に設けられた２つのＸリンク機構におけるスライド可動部を連結棒によって補強することができるため、Ｘリンク機構および天井パネルの剛性を高めることができる。
【００２１】
また、本発明の他の特徴は、前記ユニットトイレにおいて、Ｘリンク機構は、側壁パネルに設けられたトイレ室への出入口側に第１支持アームおよび第２支持アームの各回動端を配置して側壁パネルおよび天井パネルにそれぞれ取り付けられていることにある。
【００２２】
このように構成した本発明の特徴によれば、ユニットトイレは、側壁パネルに設けられたトイレ室への出入口側にＸリンク機構の第１支持アームおよび第２支持アームにおける各回動端を配置しているため、昇降ハンドルが出入り口近傍に配置されてトイレ室への入退室前後における天井パネルの操作性が向上する。また、Ｘリンク機構におけるスライド端側に連結棒を設けた場合においては、連結棒がトイレ室の奥側（出入り口とは反対側）に配置されることになるため、トイレ室内での連結棒との接触を避けながら、Ｘリンク機構および天井パネルの剛性を高めることができる。
【図面の簡単な説明】
【００２３】
【図１】本発明の一実施形態に係るユニットトイレの外観構成を天井パネルが上昇した状態で示す正面図である。
【図２】図１に示すユニットトイレの外観構成を天井パネルが下降した状態で示す正面図である。
【図３】図１に示すユニットトイレの外観構成を示す右側面図である。
【図４】図１に示すユニットトイレの外観構成を示す左側面図である。
【図５】図１に示す５―５線から見たユニットトイレの内部構成を示す側面断面図である。
【図６】図３に示す６−６線から見たユニットトイレの内部構成を示す正面断面図である。
【図７】図５に示すユニットトイレにおける天井パネルを下降させた状態を示す側面断面図である。
【図８】図６に示すユニットトイレにおける天井パネルを下降させた状態を示す正面断面図である。
【図９】図１に示すユニットトイレ１００の外観構成を示す背面図である。
【図１０】図１に示すユニットトイレの外観構成を示す平面図である。
【図１１】図１に示すユニットトイレの外観構成を示す底面図である。
【発明を実施するための形態】
【００２４】
以下、本発明に係るユニットトイレの一実施形態について図面を参照しながら説明する。図１は、本発明に係るユニットトイレ１００の外観構成を天井パネルが上昇した状態で示す正面図である。また、図２は、図１に示すユニットトイレ１００の外観構成を天井パネルが下降した状態で示す正面図である。また、図３は、図１に示すユニットトイレ１００の外観構成を示す右側面図である。また、図４は、図１に示すユニットトイレ１００の外観構成を示す左側面図である。また、図５は、図１に示す５―５線から見たユニットトイレ１００の内部構成を示す側面断面図である。また、図６は、図３に示す６−６線から見たユニットトイレ１００の内部構成を示す正面断面図である。また、図７は、図５に示すユニットトイレ１００における天井パネルを下降させた状態を示す側面断面図である。また、図８は、図６に示すユニットトイレ１００における天井パネルを下降させた状態を示す正面断面図である。また、図９は、図１に示すユニットトイレ１００の外観構成を示す背面図である。また、図１０は、図１に示すユニットトイレ１００の外観構成を示す平面図である。また、図１１は、図１に示すユニットトイレ１００の外観構成を示す底面図である。なお、図５および図７は、側面パネル１１４およびこの側面パネル１１４に取り付けられるＸリンク機構１２０を除いた断面図である。このユニットトイレ１００は、屋外において下水道工事を伴わずに設置、移動または撤去ができる簡易設置型のトイレであり、より具体的には、道路工事などの工事現場に乗り入れるトラックの荷台に載置された状態で使用される。
【００２５】
（ユニットトイレ１００の構成）
ユニットトイレ１００は、受けベース１０１を備えている。受けベース１０１は、ユニットトイレ１００の底部を構成するＦＲＰ（繊維強化樹脂）製の成形品であり、平面視で方形の板状に形成されている。本実施形態においては、ユニットトイレ１００の左右方向に長い長方形状に形成されている。この受けベース１０１の底面には、このユニットトイレ１００をフォークリフトの爪を挿し込むための凹状の挿込み口１０１ａがユニットトイレ１００の前後方向および左右方向の各辺にそれぞれ２つずつ設けられている。また、この受けベース１０１の上面は、４辺を構成する各縁部より内側部分が同各縁部に沿って凸状に隆起して形成されるとともにこれらの各隆起部分の内側の上面上に便槽１０２が設けられている。
【００２６】
便槽１０２は、ユニットトイレ１００の内部のトイレ室１１５の床面の一部を構成するとともに屎尿を貯留するためのＦＲＰ製の成形品であり、水平方向に延びるとともに内部が空洞の箱状に形成されている。本実施形態においては、受けベース１０１の上面上を覆う平面視で方形の箱状に形成されている。この便槽１０２は、正面視において図示右側の上面の一部が上方に向かって隆起しており、この隆起した部分に脱気管１０３および汲取り口１０５がそれぞれ設けられている。
【００２７】
脱気管１０３は、便槽１０２の内部の臭気をユニットトイレ１００の外部に導くための配管であり、一方の端部である下端部が便槽１０２における前記隆起部分を介して便槽１０２内部に連通するとともに、他方の端部である上端部が後述する側壁パネル１１４に沿って上方に延びた後、この側壁パネル１１４を貫通してユニットトイレ１００の外部に連通している。この場合、脱気管１０３における上端部には、脱気ダクト１０４が設けられている。脱気ダクト１０４は、脱気管１０３によって導かれた前記臭気をユニットトイレ１００の外部に導くための部品であり、図２に示すように、後述する天井パネル１２０が最下降位置に位置した状態におけるエプロン部１２５よりも下方に設けられている。
【００２８】
また、脱気ダクト１０４は、エプロン部１２５よりも張り出して形成されることにより、外部に放出した臭気が天井パネル１２０の内側を伝ってトイレ室１１５に侵入することを防止している。汲取り口１０５は、便槽１０２内に溜まった屎尿をユニットトイレ１００の外部に取り出すための開口部であり、屎尿を吸引する図示しない吸引ホースを挿し込み可能な大きさの貫通孔および同貫通孔に対して着脱自在な蓋によって構成されている。一方、便槽１０２における正面視で図示左側の上面には、便器台１０６が設けられている。
【００２９】
便器台１０６は、ユーザがしゃがんだ姿勢で用を足すためのＦＲＰ製の成形品であり、主として、便器１０６ａと台部１０６ｂとで構成されている。便器１０６ａは、屎尿を受け止めて便槽１０２内に導くための部分であり、上方に向かって開口した形状に形成されている。この便器１０６ａは、本実施形態においては和式型の便器で構成されているが、ユーザが直接着座する洋式型の便器であってもよい。台部１０６ｂは、便槽１０２上で便器１０６ａを支持するとともに便器１０６ａの周囲にユーザが便器１０６ａを跨ぐことができる床面を形成する部分であり、便槽１０２の上面から台状に立ち上って形成されている。この便器台１０６は、便器１０６ａと台部１０６ｂとが互いに着脱自在に組み付けられて構成されている。
【００３０】
受けベース１０１における前記４つの各縁部上には、側壁パネル１１１〜１１４がそれぞれ起立した状態で設けられている。側壁パネル１１１〜１１４は、便器１０６ａの周囲を囲ってトイレ室１１５を形成する部品であり、断熱材および消音材として機能する板状の発泡樹脂体を２つの金属製のパネルで挟んで構成されている。これら４つの側壁パネル１１１〜１１４は、側壁パネル１１１，１１２がユニットトイレ１００の正面側および背面側にそれぞれ配置されてユニットトイレ１００の前面および背面をそれぞれ構成するとともに、側壁パネル１１２，１１３がユニットトイレ１００の左右両側にそれぞれ配置されてユニットトイレ１００の左側側面および右側側面をそれぞれ構成している。この場合、これ４つの側壁パネル１１１〜１１４は、互いに隣接し合う側壁パネル１１１〜１１４同士が互いに連結されている。
【００３１】
ユニットトイレ１００の前面を構成する側壁パネル１１１には、扉１１６、ガラリ１１７ａおよび固定金具１１８ａがそれぞれ設けられている。扉１１６は、トイレ室１１５を外部に対して開いた状態または閉じた状態にするための板状の部品であり、側壁パネル１１１に形成された開口部からなる出入り口に対して開閉自在に取り付けられている。この場合、扉１１６は、本実施形態においてはトイレ室１１５内に向かって開く所謂内開き形式であるが、トイレ室１１５の外側に向かって開く所謂外開き形式であってもよい。
【００３２】
ガラリ１１７ａは、トイレ室１１５内を喚起するための開閉自在な換気口である。このガラリ１１７ａは、天井パネル１２０が下降した状態（図２参照）におけるエプロン部１２２よりも上方に設けられている。固定金具１１８ａは、天井パネル１２０を最下降位置で固定するための器具であり、エプロン部１２２に設けられるフック１１８ｂに着脱自在に引っ掛けられる鉤状に形成されている。この固定金具１１８ａは、側壁パネル１１１における左右両端部にそれぞれ１つずつ設けられている。
【００３３】
一方、ユニットトイレ１００の背面を構成する側壁パネル１１２には、前記ガラリ１１７ａと対をなすガラリ１１７ｂが設けられている。また、ユニットトイレ１００の右側面を構成する側壁パネル１１４には、前記脱気ダクト１０４および前記汲取り口１０５がそれぞれ設けられている。そして、これらの各側壁パネル１１１〜１１４上には、天井パネル１２０が設けられている。
【００３４】
天井パネル１２０は、トイレ室１１５の天井を構成するＦＲＰ製の成形品であり、主として、天面部１２１とエプロン部１２２〜１２５とで構成されている。天面部１２１は、トイレ室１１５の上部を覆って天井を構成する部分であり、４つの側壁パネル１１１〜１１４の各上端からそれぞれ張り出す平面視で方形（本実施形態においては、長方形）の板状体で構成されている。
【００３５】
エプロン部１２２〜１２５は、天井パネル１２０を上昇させた際にユニットトイレ１００における側壁の一部を構成する部分であり、天面部１２１における４つの辺の各縁部からそれぞれ側壁パネル１１１〜１１４側に下垂する板状体で構成されている。ここで、エプロン部１２２〜１２５のうち、エプロン部１２２，１２３はユニットトイレ１００の正面側および背面側にそれぞれ形成されており、エプロン部１２４，１２５はユニットトイレ１００の左右両側にそれぞれ形成されており、これらの各エプロン部１２２〜１２５と前記天面部１２１とが一体的に形成されている。すなわち、トイレ室１１５は、便槽１０２、側壁パネル１１１〜１１４および天井パネル１２０によって直方体状の空間として形成されている。
【００３６】
これらの各エプロン部１２２〜１２５は、天井パネル１２０を最も上昇させた場合であっても各エプロン部１２２〜１２５の各下端部が側壁パネル１１１〜１１４の各上端側に重なる長さにそれぞれ形成されている。なお、各エプロン部１２２〜１２５は、天井パネル１２０を最も上昇させた場合に各エプロン部１２２〜１２５の各下端部が各側壁パネル１１１〜１１４に重ならず、各エプロン部１２２〜１２５の各下端部が側壁パネル１１１〜１１４の上端部から上方に離隔する長さに形成されていてもよい。また、各エプロン部１２２〜１２５は、剛性を向上させるために、上下方向に延びる凸部と凹部とが横方向に交互に形成された断面形状が矩形状に形成されている。
【００３７】
ユニットトイレ１００の前面に形成されるエプロン部１２２には、前記フック１１８ｂおよび昇降ハンドル１２６がそれぞれ設けられている。フック１１８ｂは、前記したように、固定金具１１８ａが着脱自在に引っ掛けられて天井パネル１２０を最下降位置に保持するためのＪ字状の金具であり、固定金具１１８ａに対応する位置、すなわち、エプロン部１２２における左右両側の下端部にそれぞれ設けられている。
【００３８】
昇降ハンドル１２６は、天井パネル１２０を手動で昇降させるための把持具であり、平面視でＵ字状に屈曲する棒体がエプロン部１２２の前面から前方に向かって突出して形成されている。この昇降ハンドル１２６は、エプロン部１２２の中央部に対して右側および左側にそれぞれ１つずつ設けられている。これらの各エプロン部１２２〜１２５は、Ｘリンク機構１３０を介して側壁パネル１１３，１１４に対して昇降自在な状態で支持されている。
【００３９】
Ｘリンク機構１３０は、天井パネル１２０を側壁パネル１１３，１１４に対して昇降自在に支持するための器具であり、トイレ室１１５内における左右の側壁パネル１１３，１１４にそれぞれ設けられている。これら２つのＸリンク機構１３０は、それぞれ同様の構成であるため、側壁パネル１１３に取り付けられるＸリンク機構１３０について説明し、側壁パネル１１４に取り付けられるＸリンク機構１３０については対応する部分の符号をかっこ内に記して説明を省略する。
【００４０】
Ｘリンク機構１３０は、主として、第１支持アーム１３１、第２支持アーム１３２、ガススプリング１４１および連結棒１４２をそれぞれ備えて構成されている。第１支持アーム１３１および第２支持アーム１３２は、側壁パネル１１３（１１４）と天井パネル１２０との間で交差した状態で延びるそれぞれ棒状の部品であり、互いの中央部分同士が丸棒状の連結ピン１３３を介して互いに回動自在に連結されている。本実施形態においては、第１支持アーム１３１および第２支持アーム１３２は、それぞれ金属製（例えば、アルミニウム製）の角棒体で構成されている。これらの第１支持アーム１３１および第２支持アーム１３２は、各両端部にそれぞれ設けられた丸棒状の可動ピン１３１ａ，１３１ｂ，１３２ａ，１３２ｂを介して側壁パネル１１３（１１４）および天井パネル１２０にそれぞれ連結されている。
【００４１】
具体的には、第１支持アーム１３１における一方の端部（下方側）は、側壁パネル１１３（１１４）の上端部側における側壁パネル１１１側に可動ピン１３１ａを回動自在に支持する取付回動金具１３４を介して回動自在に取り付けられている。また、第１支持アーム１３１における他方の端部（上方側）は、天井パネル１２０の天面部１２１におけるエプロン部１２３側に取付スライド金具１３５を介してユニットトイレ１００の前後方向にスライド可能に取り付けられている。この場合、取付スライド金具１３５は、ユニットトイレ１００の前後方向に沿って長孔１３５ａが形成されており、この長孔１３５ａ内に第１支持アーム１３１の他方の端部に設けられた可動ピン１３１ｂが摺動することによって第１支持アーム１３１の他方の端部がユニットトイレ１００の前後方向にスライド変位する。
【００４２】
一方、第２支持アーム１３２における一方の端部（上方側）は、天井パネル１２０の天面部１２１におけるエプロン部１２２側、すなわち、前記第１支持アーム１３１における一方の端部の上方位置に可動ピン１３２ａを回動自在に支持する取付回動金具１３６を介して回動自在に取り付けられている。また、第２支持アーム１３２における他方の端部（下方側）は、側壁パネル１１３（１１４）の上端部側における側壁パネル１１２側、すなわち、前記第１支持アーム１３１における他方の端部の下方位置に取付スライド金具１３７を介してユニットトイレ１００の前後方向にスライド可能に取り付けられている。この場合、取付スライド金具１３７は、前記取付回動金具１３５と同様に、ユニットトイレ１００の前後方向に沿って長孔１３７ａが形成されており、この長孔１３７ａ内に第２支持アーム１３２の他方の端部に設けられた可動ピン１３２ｂが摺動することによって第２支持アーム１３２の他方の端部がユニットトイレ１００の前後方向にスライド変位する。
【００４３】
ここで、第１支持アーム１３１および第２支持アーム１３２において、側壁パネル１１３，１１４に回転自在に取り付けられた前記一方の端部を回転端とし、天井パネル１２０にスライド可能に取り付けられた前記他方の端部をスライド端とする。
【００４４】
ガススプリング１４１は、互いに交差する２つの第１支持アーム１３１と第２支持アーム１３２とを互いに開いて天井パネル１２０を上昇させるための力を発生させるとともに第１支持アーム１３１と第２支持アーム１３２とを互いに閉じて天井パネル１２０を下降させる際に天井パネル１２０を弾性的に支持して下降の衝撃を緩和させる力を発生させるための器具であり、筒体内配置されたピストンがガス圧によって弾性的に突出するように構成されている。このガススプリング１４１は、一方の端部（前記ピストン）が取付回動金具１３４に対して回動自在に取り付けられるとともに、他方の端部（前記筒体）が第２支持アーム１３２に対して回動自在な状態で取り付けられている。
【００４５】
連結棒１４２は、側壁パネル１１３に取り付けられたＸリンク機構１３０と側壁パネル１１４に取り付けられたＸリンク機構１３０とを互いに連結する部品であり、金属製（例えば、鋼材）の丸棒材で構成されている。この連結棒１４２は、２つのＸリンク機構１３０間において、天井パネル１２０に取り付けられた第１支持アーム１３１および第２支持アーム１３２の各端部間にそれぞれ架設されている。
【００４６】
（ユニットトイレ１００の作動）
次に、このように構成したユニットトイレ１００の作動について説明する。このユニットトイレ１００は、道路工事などの工事現場に乗り入れるトラックの荷台に載置された状態で使用される。この場合、ユニットトイレ１００は、天井パネル１２０が天井パネル１２０が最下降位置（図２、図７、図８参照）に位置した状態で固定金具１１８ａで留められて下降した状態で設置場所まで運ばれるが、道路交通法上の高さ制限内に納まっている。なお、このユニットトイレ１００は、工事現場に限られず、屋外におけるトイレを必要とする場所に設置される。ユニットトイレ１００の設置場所としては、工事現場、イベント会場、公園、キャンプ場、海水浴場、釣り場、登山道また被災地などの地面に直接または同地に乗り入れた車両の荷台上に設置することができる。また、このユニットトイレ１００は、便槽１０２を備えているため、下水道工事を伴うことなく設置することができる。
【００４７】
まず、ユニットトイレ１００を使用するユーザは、天井パネル１２０を上昇させる。具体的には、ユーザは、ユニットトイレ１００における前面に設けられている２つの固定金具１１８ａを外した後、昇降ハンドル１２６を把持して上方に上げる。この場合、昇降ハンドル１２６は、各Ｘリンク機構１３０をそれぞれ構成する各第１支持アーム１３１および各第２支持アーム１３２における各回転端側に取り付けられている。このため、ユニットトイレ１００は、天井パネル１２０における回動端側がスライド端側に対して傾斜して非水平状態となっても回動端を回動させて天井パネル１２０を円滑に上昇させることがでる。
【００４８】
また、この場合、天井パネル１２０は、２つのＸリンク機構１３０が天面部１２１側において連結棒１４２によって互いに連結されているため天面部１２１の傾斜や捻じれが抑制されてより円滑に上昇させることができる。また、各Ｘリンク機構１３０は、第１支持アーム１３１と第２支持アーム１３２とを互いに開くための力を発生させるガススプリング１４１を備えている。これにより、ユニットトイレ１００は、軽い力で天井パネル１２０を上昇させることができるとともに、天井パネル１２０を上昇位置で保持することができる。
【００４９】
次に、ユーザは、扉１１６を開けてトイレ室１１５内に入室して用を足す。この場合、トイレユニット１００は、２つのＸリンク機構１３０が入室したユーザの左右方向の両端部にそれぞれ配置されているため、入室したユーザとの物理的干渉を避けることができる。また、ユニットトイレ１００は、各Ｘリンク機構１３０における各連結棒１４２が天面部１２１側の端部にそれぞれ設けられているため、入室したユーザとの物理的干渉を避けることができる。また、ユニットトイレ１００は、天井パネル１２０が最上昇位置に位置した場合であってもエプロン部１２２〜１２５の各下端部が側壁パネル１１１〜１１４の上端部に重なっているため、トイレ室１１５内への風雨の侵入を防止することができる。
【００５０】
次に、ユーザは、トイレ室１１５内にて用を足した場合には扉１１６を介してトイレ室１１５内から退出した後、天井パネル１２０を下降させることができる。具体的には、昇降ハンドル１２６を把持して下方に下げる。この場合においても、ユニットトイレ１００は、昇降ハンドル１２６が各Ｘリンク機構１３０をそれぞれ構成する各第１支持アーム１３１および各第２支持アーム１３２の各回転端側に取り付けられているため、天井パネル１２０における回動端側がスライド端側に対して傾斜して非水平状態となっても回動端を回動させて天井パネル１２０を円滑に下降させることがでる（図２、図７、図８参照）。
【００５１】
また、この場合、天井パネル１２０は、２つのＸリンク機構１３０が天面部１２１側において連結棒１４２によって互いに連結されているため天面部１２１の傾斜や捻じれが抑制されてより円滑に下降させることができる。なお、ユーザは、各Ｘリンク機構１００がガススプリング１４１を備えているため、これらの各ガススプリング１４１の伸長力に抗して天井パネル１２０を下降させる。そして、ユーザは、下降させた天井パネル１２０を２つの固定金具１１８ａによって側壁パネル１１１に固定させる。
【００５２】
上記作動説明からも理解できるように、上記実施形態によれば、ユニットトイレ１００は、Ｘリンク機構１３０を構成する第１支持アーム１３１および第２支持アーム１３２における各一方の端部が回動端として側壁パネル１１３，１１４および天井パネル１２０にそれぞれ回動自在に取り付けられるとともに、他方の端部がスライド端として側壁パネル１１３，１１４および天井パネル１２０にそれぞれスライド変位可能に取り付けられる。そして、ユニットトイレ１００は、昇降ハンドル１２６が天井パネル１２０におけるＸリンク機構１３０の支点である連結ピン１３３よりも前記各回動端側に設けられている。これにより、ユニットトイレ１００は、ユーザが手動で天井パネル１２６を昇降させる側がＸリンク機構１３０における回動端であるため、天井パネル１２０が多少傾斜した非水平状態となっても回動端を回動させて天井パネル１２０を円滑に昇降させることができ、天井パネル１２０全体を水平状態を維持して昇降させるための柱状部材は不要である。すなわち、本発明に係るユニットトイレ１００は、構成を簡単化および軽量化しつつ円滑に天井パネル１２０を昇降させることができる
【００５３】
さらに、本発明の実施にあたっては、上記実施形態に限定されるものではなく、本発明の目的を逸脱しない限りにおいて種々の変更が可能である。
【００５４】
例えば、上記実施形態においては、ユニットトイレ１００は、昇降ハンドル１２６によって天井パネル１２０を手動操作によって昇降するように構成した。すなわち、昇降ハンドル１２６が、本発明に係る天井パネル昇降手段に相当する。しかし、天井パネル昇降手段は、天井パネル１２０を昇降させることができればよく、必ずしも上記実施形態に限定されるものではない。したがって、天井パネル昇降手段は、例えば、ラックおよびピニオン機構やボールネジ送り機構を手動回転ハンドルや電動モータで駆動したり、エアシリンダをコンプレッサで駆動したりして天井パネル１２０を昇降するように構成することもできる。
【００５５】
また、上記実施形態においては、Ｘリンク機構１３０は、ガススプリング１４１を備えて構成した。すなわち、ガススプリング１４１が、本発明に係る上昇力発生手段に相当する。しかし、上昇力発生手段は、天井パネル１２０を上昇させる力を天井パネル１２０またはＸリンク機構１３０に作用させることがものであれば、必ずしも上記実施形態に限定されるものではない。したがって、ガススプリング１４１は、Ｘリンク機構１３０に代えてまたは加えて天井パネル１２０に直接取り付けてもよい。また、上昇力発生手段は、ガススプリング１４１以外のもの、例えば、コイルスプリングや、滑車とウエイトなどで構成することができる。また、上昇力発生手段は、天井パネル１２０を人力で十分に昇降可能であったり、天井パネルを電動モータで昇降させる場合などには省略することもできる。
【００５６】
また、上記実施形態においては、トイレユニット１００は、平面視で長方形状に形成した。しかし、トイレユニット１００は、長方形状以外の形状、例えば、正方形、三角形、五角形および六角形などの多角形のほか、円形や楕円形などの各種形状で構成することができる。
【００５７】
また、上記実施形態においては、昇降ハンドル１２６を天井パネル１２０におけるエプロン部１２２に取り付けた。しかし、昇降ハンドル１２６は、天井パネル１２０におけるＸリンク機構１３０の支点である連結ピン１３３よりも第１支持アーム１３１および第２支持アーム１３２の各回動端側に設けられていればよい。したがって、昇降ハンドル１２６は、例えば、天井パネル１２０におけるエプロン部１２４，１２５のエプロン部１２２側に設けることもできる。また、昇降ハンドル１２６は、トイレ室１１５内の天井パネル１２６（天面部１２１やエプロン部１２２，１２４，１２５）に設けることもできる。
【００５８】
また、上記実施形態においては、Ｘリンク機構１３０は、側壁パネル１１３，１１４と天井パネル１２０との間にそれぞれ設けた。しかし、Ｘリンク機構１３０の取付位置は、天井パネル１２０を昇降させることができればよく、必ずしも上記実施形態に限定されるものではない。したがって、Ｘリンク機構１３０は、例えば、側壁パネル１１１と天井パネル１２０との間に設けてもよいし、側壁パネル１１２と天井パネル１２０との間に設けることもできる。また、Ｘリンク機構１３０は、ユニットトイレ１００における前後方向に沿って取り付ける以外に、トイレユニット１００における左右方向に沿って取り付けることもできる。また、Ｘリンク機構１３０は、少なくとも１つ以上設けられていればよいため、必ずしも２つ設ける必要はない。
【００５９】
また、上記実施形態においては、Ｘリンク機構１３０は、第１支持アーム１３１および第２支持アーム１３２における各天井パネル１２０側の端部にそれぞれ連結棒１４２を備えて構成した。これにより、ユニットトイレ１００は、Ｘリンク機構１３０および天井パネル１２０の各剛性を高めて天井パネル１２０の円滑な昇降を行なえる。この場合、Ｘリンク機構１３０は、連結ピン１３３よりも天井パネル１２０側に設けることで天井パネル１２０の各剛性を高めることができる。また、Ｘリンク機構１３０は、連結ピン１３３よりもスライド端側に設けることで各スライド端を円滑にスライド変位させることができる。また、Ｘリンク機構１３０は、連結棒１４２を扉１１６とは反対側に設けることでトイレ室１１５内でのユーザとの物理的干渉を防止することができる。また、Ｘリンク機構１３０は、連結棒１４２を省略して構成することもできる。
【００６０】
また、上記実施形態においては、ユニットトイレ１００は、Ｘリンク機構１３０を構成する第１支持アーム１３１および第２支持アームにおける各回動端をトイレ室１１５の出入口となる扉１１６側に配置して構成した。これにより、ユニットトレイ１００は、出入口となる扉１１６側またはその近傍に昇降ハンドル１２６が配置されるため、天井パネル１２０を昇降する作業性が行い易くなる。しかし、Ｘリンク機構１３０を構成する第１支持アーム１３１および第２支持アームにおける各回動端は、扉１１６側以外であってもよく、例えば、扉１１６とは反対側に配置することもできる。この場合、ユニットトイレ１００は、昇降ハンドル１２６を天井パネル１２０におけるエプロン部１２３に設けることができ、ユニットトイレ１００の外観の美観を向上させることができる。
【符号の説明】
【００６１】
１００…ユニットトイレ、
１０１…受けベース、１０１ａ…挿込み口、１０２…便槽、１０３…脱気管、１０４…脱気ダクト、１０５…汲取り口、１０６…便器台、１０６ａ…便器、１０６ｂ…台部、
１１１…側壁パネル（前面）、１１２…側壁パネル（背面）、１１３…側壁パネル（左側面）、１１４…側壁パネル（右側面）、１１５…トイレ室、１１６…扉、１１７ａ…ガラリ、１１７ｂ…ガラリ、１１８ａ…固定金具、１１８ｂ…フック、
１２０…天井パネル、１２１…天面部、１２２…エプロン部（前面）、１２３…エプロン部（背面）、１２４…エプロン部（左側面）、１２５…エプロン部（右側面）、１２６…昇降ハンドル、
１３０…Ｘリンク機構、１３１…第１支持アーム、１３１ａ，１３１ｂ…可動ピン、１３２…第２支持アーム、１３２ａ，１３２ｂ…可動ピン、１３３…連結ピン、１３４…取付回動金具、１３５…取付スライド金具、１３５ａ…長孔、１３６…取付回動金具、１３７…取付スライド金具、１３７ａ…長孔、
１４１…ガススプリング、１４２…連結棒。
【図１】
2017002531.tif 000003
【図２】
2017002531.tif 000004
【図３】
2017002531.tif 000005
【図４】
2017002531.tif 000006
【図５】
2017002531.tif 000007
【図６】
2017002531.tif 000008
【図７】
2017002531.tif 000009
【図８】
2017002531.tif 000010
【図９】
2017002531.tif 000011
【図１０】
2017002531.tif 000012
【図１１】
2017002531.tif 000013